(57)【特許請求の範囲】
【請求項１】
筐体内に、基材に転写媒体が塗布された転写テープが巻装された送出軸部、転写テープの基材を巻き取る巻取軸部、転写テープの転写媒体を被転写体へ転写する転写部を備え、前記筐体を前記送出軸部及び前記巻取軸部の軸と直交する対向面を各々有した一方と他方に分割可能で、かつ該対向面を被転写体に対して寝かして使用する転写具であって、前記転写部を露出する開口が形成された部位近傍の転写テープの搬送面幅両端方向において、前記一方の筐体には、前記対向面の縁部から突出したリブが、他方の筐体の内面に接触するように突設され、また、前記他方の筐体には、前記リブが嵌入して接触する内面で該リブを中心とした転写テープ搬送方向の前後部位に該リブと接触するように柱を設けたことを特徴とする転写具。
【請求項２】
送出軸部、巻取軸部、転写部が、稼働可能に基板上に支持されて詰替部材とされ、この詰替部材に、前記基板の転写部を配置した部位で転写テープの搬送面幅両端方向に規制リブが形成され、また、一方又は他方の筐体に、前記規制リブを中心とした転写テープ搬送方向の前後部位に該規制リブと接触するように規制柱が設けられたことを特徴とする請求項１記載の転写具。
【請求項３】
リブと柱が設けられた部位から転写部が位置する側と反対方向の部位で転写テープの搬送面幅両端方向において、一方の筐体には、対向面の縁部から突出した開閉部材が、他方の筐体の内面に接触するように突設され、また、他方の筐体には、前記開閉部材が嵌入して接触する内面に該開閉部材と係合する係合部が形成されていることを特徴とする請求項１又は２記載の転写具。
【発明の詳細な説明】
【技術分野】
【０００１】
本発明は、送出軸部及び巻取軸部の軸と直交する対向面を被転写体に対して水平状にして使用する（横引）タイプで、詰め替え部材の交換のために前記対向面の一方と他方を分割する転写具であって、使用時に、一方と他方の筐体が、各々離反する方向の力を受けて分離しにくく、また、詰め替えを容易とする構造に関するものである。
【背景技術】
【０００２】
転写媒体を紙などの被転写体に転写する転写具は、主要構成として、筐体内に、転写媒体が塗布された基材（これを以下転写テープという）が巻装された送出軸部、転写テープのうちの基材を巻き取る巻取軸部、及び転写テープのうちの転写媒体を被転写体へ転写する転写部を備えている。
【０００３】
転写具は、筐体から露出した転写部を被転写体に向けて押しつけたまま、被転写体上で全体を移動させることにより転写テープを該被転写体へ転写する。このとき、転写テープの被転写体との相対移動により送出軸部から転写テープが引き出され、これが送出軸部の送出駆動力（及び巻取軸部の巻取駆動力）となっている。
【０００４】
近年、上記転写具は、リサイクル可能部材の再使用化、及び廃棄部材の低減化、を図るようになってきており、例えば、使用後に、新たに購入して詰め替える部材と、廃棄せずに再使用する部材と、を備えたいわゆる詰替式のものが増えている。
【０００５】
詰替式の転写具の詰め替え手法のうち、筐体において、送出軸部及び巻取軸部と直交する対向面を各々有する、一方を固定側として、他方を開閉側として、２分割して、筐体内部の部材を詰め替える構造とされている。
【０００６】
さらに、転写具は、使い勝手の多様化に応えるべく、筐体における、送出軸部及び巻取軸部の軸と直交する対向面を被転写体に対して、斜め、つまり該対向面を被転写体に面するように寝かして、転写部における転写テープの搬送面と平行となるようにして使用する種類（以下、これを横引タイプという）と、直交、つまり該対向面を被転写体に対して立てて、転写部における転写テープの搬送面と直交となるように使用する種類（以下、これを縦引タイプという）と、が存在し、これら横引タイプも縦引タイプも上記した詰替式とされたものもある。
【０００７】
縦引タイプの転写具は、筐体全体において前記対向面のそれぞれの外側を押さえて（掴んで）使用する。詰替式の縦引タイプの転写具においては、使用時に筐体の一方と他方の外側を手で掴んでいるから、該一方と他方とが使用時に分離しまうといったことがない。
【０００８】
一方、横引タイプの転写具は、筐体全体において前記対向面を被転写体に対して寝かせるようにし、該筐体の一方及び他方の対向面の辺縁に連続して直交状に形成された筐体としての厚みとなる部位を把持して使用する。これを換言すると、横引タイプの転写具は、筐体の一方と他方の合致部位（分割部位）を把持して使用することとなる。
【０００９】
このことから、例えば特許文献１，２で提案されるような詰替式の横引タイプの転写具においては、詰替式なので筐体が一方と他方で分離可能な構造であることは縦引タイプと同じであるが、使用時に転写部を被転写体に押しつけた際に該被転写体からの応力が筐体の一方又は他方におよんで分離（筐体が展開してしまう）可能性があった。
【００１０】
詰替式の横引タイプの転写具における使用時の筐体の分離現象を詳細に説明すると、転写具は全体として被転写体へ押しつけられるが、転写部には被転写体からの応力がかかり、この応力が被転写体に対して寝かした一方又は他方の筐体のうち、上面に位置する側（被転写体に臨む面と反対の面）を該被転写体から離間する方向、つまり上方へ押し上げる。このとき、筐体の対向面のうち下面の他方又は一方は、依然として使用時の被転写体へ押しつけられる力を受けて被転写体方向に力がかかる。
【００１１】
よって、詰替式の横引タイプの転写具は、使用時に一方と他方の筐体が、各々の前記対向面から離反する方向の力を受けて、分離しやすいという問題があった。これを解消しようとすると、転写具全体の構造を複雑化したり、部品点数が大幅に増加したりする必要があり、また、これに伴って詰め替え作業も複雑かつ困難になるといった問題があった。
【先行技術文献】
【特許文献】
【００１２】
【特許文献１】特開２００８−２６５０４１号公報
【特許文献２】特開平９−１２３６９０号公報
【発明の概要】
【発明が解決しようとする課題】
【００１３】
解決しようとする問題点は、送出軸部及び巻取軸部の軸と直交する対向面を被転写体に対して寝かして使用する横引タイプで、詰め替え部材の交換のために前記対向面の一方と他方を分割する転写具において、使用時に一方と他方の筐体が、各々離反する方向の力を受けて、分離しやすいという点、及びこれを解消しようとすると、転写具全体の構造を複雑化したり、部品点数が大幅に増加したりする共に、詰め替え作業も複雑かつ困難になるという点、である。
【課題を解決するための手段】
【００１４】
本発明は、筐体内に、基材に転写媒体が塗布された転写テープが巻装された送出軸部、転写テープの基材を巻き取る巻取軸部、転写テープの転写媒体を被転写体へ転写する転写部を備え、前記筐体を前記送出軸部及び前記巻取軸部の軸と直交する対向面を各々有した一方と他方に分割可能で、かつ該対向面を被転写体に対して寝かして使用する転写具であって、前記転写部を露出する開口が形成された部位近傍の転写テープの搬送面幅両端方向において、前記一方の筐体には、前記対向面の縁部から突出したリブが、他方の筐体の内面に接触するように突設され、また、前記他方の筐体には、前記リブが嵌入して接触する内面で該リブを中心とした転写テープ搬送方向の前後部位に該リブと接触するように柱を設けていることを最も主要な特徴とする。
【発明の効果】
【００１５】
本発明は、送出軸部と巻取軸部と直交する対向面を各々有した一方又は他方の筐体に分割して詰め替える部材の交換作業を行い、かつ該対向面を転写部における転写テープの搬送面に対して平行にして（該対向面を被転写体に対して斜めに寝かして）使用する転写具において、「使用時に」一方と他方の筐体が各々離反する方向の力を受けた際、リブと柱が当接して一方と他方の筐体の各々離反する方向へ移動することを防止できるという利点がある。
【００１６】
詰め替えの際に一方と他方の筐体を開く方向と、使用時に一方と他方の筐体が離反する方向とが同じであるが、厳密には使用時に一方と他方の筐体が離反する方向は互いの対向面に対して垂直方向ではなく転写部とこの転写部を露出するための筐体に形成した開口との接触部位を支点とした、該転写部の筐体から露出した側は使用時に上面となった一方の筐体を上向きに、該転写部の筐体の内部側は使用時に下面となった他方の筐体を下向きに、それぞれ押圧する各々の対向面に対する斜めの力である。
【００１７】
本発明の転写具は、リブと柱を設けて、リブの移動を対向面に対して垂直方向だけに規制することで、一方と他方の筐体の互いの相反する方向へ対向面に対して斜めの移動を禁止する一方、詰め替え時の一方と他方の筐体の互い対向面と垂直方向の移動は許容されるようにした。こうすることで、詰め替え時の筐体の開閉構造に使用時の分離防止構造を組み込んだりして転写具全体の構造を複雑化する必要はなく、また、詰め替え時の筐体の開閉が容易で、よって詰め替え作業が極めて簡単に行える。
【図面の簡単な説明】
【００１８】
【図１】図１は、本発明の転写具の全体構造を示す分解斜視図である。（実施例１）
【図２】図２（ａ）〜（ｃ）は、本発明の転写具の筐体のみを示す図である。（実施例１）
【図３】図３（ａ）（ｂ）は、本発明の転写具の使用状況を示す図である。（実施例１）
【発明を実施するための形態】
【００１９】
本発明は、送出軸部及び巻取軸部の軸と直交する対向面を被転写体に対して寝かして使用する横引タイプで、詰め替え部材の交換のために前記対向面の一方と他方を分割する転写具において固有に発生する課題、すなわち使用時に一方と他方の筐体が、各々離反する方向の力を受けて、分離しやすいという点、及びこれを解消しようとすると、転写具全体の構造を複雑化したり、部品点数が大幅に増加し、これに伴って詰め替えも複雑かつ困難になるという点、を次の構成とすることで解消した。
【００２０】
一方と他方の筐体の使用時に分離しようとする力について考察すると、使用時に転写部を被転写体へ押しつけようとする力は、被転写体からの反力として筐体の一方（被転写体に臨んでいない側＝上側となる筐体）を押し上げようとする力として寄与する。
【００２１】
使用に被転写体から受ける反力は、転写部と該転写部を露出する開口との接触部位を支点として、該転写部の露出側は使用時に上面となった一方の筐体を上向きに、該転写部の筐体内側は使用時に下面となった他方の筐体を下向きに、それぞれ押圧する対向面に対す上下の斜め方向の力となって、一方と他方の筐体を互いに離反させようとする。
【００２２】
このことから、一方と他方の筐体の使用時の分離を防止するために、一方及び他方の筐体の対向面に対して斜め上方、斜め下方への互いの移動を規制すればよいこととなる。本発明では、一方の筐体にリブを設けると共に、他方の筐体に該リブを一方と他方の筐体の各々の対向面に対して垂直方向以外へ移動することを禁止する柱を設けた。こうすることで、一方の筐体は垂直方向以外、すなわち対向面に対して斜め上方、斜め下方へ互いに移動できず、よって使用時に筐体が分離しない。
【実施例１】
【００２３】
以下、図１〜図３を参照して本発明の具体的実施形態について説明する。図１には全体構成を示しているが、図２及び図３においては説明上、必要となる要部のみ示している。１は、本発明の転写具である。本発明における転写具１は、筐体２内に、転写媒体が塗布された基材（＝転写テープ）が巻装された送出軸部３、転写テープのうちの基材を巻き取る巻取軸部４、及び転写テープのうちの転写媒体を被転写体へ転写する転写部５を備えている。
【００２４】
本発明における転写具１は、上記送出軸部３、巻取軸部４、転写部５が稼働可能に基板１１Ａに一体的に配置されて詰替部材１１を構成し、この詰替部材１１を、転写媒体が使用済みになった際に、筐体２から取り出して詰め替えるものである。
【００２５】
そして、本発明における転写具１は、筐体２における、送出軸部３及び巻取軸部４の軸と直交する対向面を被転写体に対して寝かして使用する横引タイプのものであると共に、筐体２を、蓋部（一方の筐体）２Ａ、固定部（他方の筐体）２Ｂ、に分割し、開いて、上記の詰替部材１１を詰め替えるものである。
【００２６】
なお、詰替部材１１における送出軸部３及び巻取軸部４にはこれらの駆動伝達用のギヤは含んでおらず、送出軸部３のギヤ３Ａ、巻取軸部４のギヤ４Ａ、中間ギヤＰは、固定部２Ｂに配置されている（参照符号無）。
【００２７】
以上が本発明の転写具１の前提的構成であり、本発明の転写具１の特徴としては、使用時に、筐体２が蓋部２Ａと固定部２Ｂに分離することを防止すべく、次のように構成していることにある。
【００２８】
筐体２における蓋部２Ａと固定部２Ｂは、送出軸部３と巻取軸部４の各々の軸と直交する対向面２Ａａ，２Ｂａを有している。蓋部２Ａにおける対向面２Ａａは筐体２全体としては例えば上面、すなわち使用時に反被転写体側に面する天面となる。固定部２Ｂにおける対向面２Ｂａは筐体２全体としては例えば下面、すなわち使用時に被転写体側に面する底面となる。
【００２９】
蓋部２Ａと固定部２Ｂにおける前記対向面２Ａａ，２Ｂａの各々の辺縁部は、略直交状に折れ曲がった厚部２Ａｂ，２Ｂｂが形成されており、この厚部２Ａｂ，２Ｂｂが該蓋部２Ａと固定部２Ｂとを合致させた際に、筐体２全体の厚みを構成している。なお、固定部２Ｂ側の厚部２Ｂｂは、蓋部２Ａの厚部２Ｂｂよりも厚さ（高さ）が大きくなっている。
【００３０】
また、蓋部２Ａと固定部２Ｂにおける厚部２Ａｂ，２Ｂｂの、転写部５が位置する部位には、転写部５を露出するための開口２Ａｃ、２Ｂｃが形成されている。これら開口２Ａｃ，２Ｂｃは蓋部２Ａと固定部２Ｂとを互いに合致させた際に、所定の形状、例えば本例では円形となる。
【００３１】
以下、蓋部２Ａと固定部２Ｂの単位で「リブと柱」及び「開閉部材と係合部」を、詰替部材１１と固定部２Ｂの単位で「規制リブと規制柱」、の構成について説明する。
【００３２】
（リブと柱）
蓋部２Ａの厚部２Ａｂにおいて、開口２Ａｃを形成した部位の近傍にリブ２Ａｄが形成されている。なお、リブ２Ａｄは、図面上、断面ではないが右下がり斜線のハッチングを入れて示している。具体的には、本例では転写部５（開口２Ａｃ）から筐体２内部に向けて順に巻取軸部４、送出軸部３が配置されており、リブ２Ａｄを形成した開口２Ａｃの近傍とは、開口２Ａｃから該転写部５寄りの巻取軸部４に至るまでの位置を意味している。
【００３３】
さらに、リブ２Ａｄは、開口２Ａｃを形成した部位の近傍において、転写部５における転写テープの搬送面幅両端方向に２箇所形成されている。また、リブ２Ａｄは、蓋部２Ａの厚部２Ａｂの高さを超えて、固定部２Ｂの厚部２Ｂｂへ嵌入され、かつ該厚部２Ｂｂの内面に接触するように突設されている。
【００３４】
一方、固定部２Ｂの厚部２Ｂｂの内面で、上記蓋部２Ａのリブ２Ａｄが嵌入する部位、つまり、開口２Ｂｃを形成した部位の近傍には該リブ２Ａｄの幅方向両端部で接触する本例では例えば２本１対の柱２Ｂｄが形成されている。なお、柱２Ｂｄは、図面上、断面ではないが、点状のハッチングを入れて示している。具体的には、本例では転写部５（開口２Ｂｃ）から筐体２内部に向けて順に巻取軸部４、送出軸部３が配置されており、柱２Ｂｄを形成した開口２Ｂｃの近傍とは、開口２Ｂｃから該転写部５寄りの巻取軸部４に至るまでの位置で、リブ２Ａｄが嵌入される位置を意味している。
【００３５】
柱２Ｂｄは、リブ２Ａｄと対応するように形成されているから、リブ２Ａｄと同様に、開口２Ｂｃを形成した部位の近傍において、転写部５における転写テープの搬送面幅両端方向に２箇所に形成されている。また、柱２Ｂｄは、固定部２Ｂの厚部２Ｂｂの高さ方向ほぼ全域に形成されている。
【００３６】
よって、蓋部２Ａと固定部２Ｂとを合致させた際に、リブ２Ａｄの筐体２の外側に臨む面が固定部２Ｂの厚部２Ｂｂの内面に、該リブ２Ａｄの幅方向両端部の各々の端部が２本１対の柱２Ｂｄ間でそれぞれ接触し、３方向の移動が規制される。
【００３７】
よって、リブ２Ａｄは、柱２Ｂｄ間（及び固定部２Ｂの厚部２Ｂｂ）により固定部２Ｂの対向面２Ｂａに対して垂直方向にしか移動できないこととなる。また、別の言い方をすれば、蓋２Ａと固定部２Ｂとを合致させる際に、柱２Ｂｄがリブ２Ａｄの嵌入を案内していることになる。
【００３８】
（開閉部材と係合部）
蓋部２Ａには、巻取軸部４と送出軸部３との軸間位置で、転写部５における転写テープの幅両端方向に２箇所、開閉部材２Ａｅが形成されている。開閉部材２Ａｅは、蓋部２Ａの厚部２Ａｂの高さを超えて、大きく突出しており、固定部２Ｂの厚部２Ｂｂへ嵌入され、かつ先端部には該厚部２Ｂｂの内面に形成された係合部２Ｂｅと係合する係合片２Ａｆが形成されている。
【００３９】
開閉部材２Ａｅは、先端部に至るまでの途中部位が固定部２Ｂの厚部２Ｂｂに形成された切欠部２Ｂｆより露出するように構成されている。途中部位は把持片２Ａｇとして機能し、この把持片２Ａｇを、２箇所に設けた開閉部材２Ａｅ同士が接近する方向に押すことで、係合片２Ａｆが係合部２Ｂｅから外れるよう構成している。
【００４０】
一方、固定部２Ｂには、上記蓋部２Ａの開閉部材２Ａｅに対応して、該開閉部材２Ａｅ転写部５における転写テープの幅両端方向に２箇所に、厚部２Ｂｂの高さの一部が切欠かれた切欠部２Ｂｆが形成されている。この切欠部２Ｂｆが形成された厚部２Ｂｂの対向面２Ｂａ方向の内面には、係合部２Ｂｅが形成されている。
【００４１】
（規制リブと規制柱）
本例では、詰替部材１１においても、使用時に蓋部２Ａと固定部２Ｂとが分離しようとする力を阻止する構成を採用している。すなわち、使用時の前記分離しようとする力、本例では蓋部２Ａを押し上げようとする被転写体からの反力は、転写部５を介して蓋部２Ａに伝達される。
【００４２】
したがって、転写部５、つまり詰替部材１１が使用時に筐体２内で移動しないように規制しておくことでも使用時に蓋部２Ａと固定部２Ｂとの分離を防止しているのである。
【００４３】
詰替部材１１の基板１１Ａにおいて、転写部５を支持した部位で該転写部５における転写テープの幅方向両端部位（２箇所）には、規制リブ１１Ａａが形成されている。なお、規制リブ１１Ａａは、図面上、断面ではないが、右上がり斜線のハッチングを入れて示している。この規制リブ１１Ａａは、蓋部２Ａ及び固定部２Ｂで言う厚み（高さ）方向の全域に亘って形成されている。
【００４４】
一方、本例では、固定部２Ｂには、上記規制リブ１１Ａａに対応する位置で該規制リブ１１Ａａの幅方向両端部位と接触するように本例では２本１対で、柱２Ｂｄと平行に規制柱２Ｂｇが形成されている。なお、規制柱２Ｂｇは、図面上、断面ではないが、点状のハッチングを入れて示している。つまり規制リブ１１Ａａも、リブ２Ａｄと同様に、筐体２の外側に臨む面が固定部２Ｂの厚部２Ｂｂの内面に、幅方向両端の各々が規制柱２Ｂｇのそれぞれに、接触して垂直方向以外の移動が禁止されていることになる。
【００４５】
上記構成の転写具１は、次のように作用する。使用時には、横引タイプであるため、筐体２の厚み部分（蓋部２Ａの厚部２Ａｂ、固定部２Ｂの厚部２Ｂｂ）を把持して、筐体２全体を被転写体へ押しつけつつ、該被転写体上を移動させる。
【００４６】
使用時には、図３（ａ）に示すように、被転写体から筐体２を押しつけた際の反力がかかる。被転写体からの反力は、転写部５（詰替部材１１の基材１１Ａ）と蓋部２Ａの開口２Ａｃ及び固定部２Ｂの開口２Ｂｃとの接触部位を支点として、転写部５の露出側により蓋部２Ａを対向面２Ａａに対して斜め上方に、転写部５の筐体２内側により固定部２Ｂを対向面２Ｂａに対して斜め下方に、互いを移動させようとする。
【００４７】
本例では、図３（ｂ）に示すように筐体２内において詰替部材１１の基板１１Ａにおける規制リブ１１Ａａが、固定部２Ｂの規制柱２Ｂｇにより規制されているから、被転写体から直接的に影響を受ける転写部１１が対向面２Ａａ，２Ｂａに対して垂直方向以外の移動をしない。
【００４８】
さらに、仮に本例の構成から規制リブ１１Ａａと規制柱２Ｂｇを省略していたとしても、図３（ａ）に示すように蓋部２Ａと固定部２Ｂとがリブ２Ａｄと柱２Ｂｄとにより対向面２Ａａ，２Ｂａに対して垂直方向以外に移動しないよう規制されているから、該蓋部２Ａと固定部２Ｂは分離しない。
【００４９】
上記のように、本例における転写具１は、固定部２Ｂに対する蓋部２Ａの関係では、リブ２Ａｄと柱２Ｂｄとにより該蓋部２Ａと該固定部２Ｂが互いの対向面２Ａａ，２Ｂａの垂直方向以外の移動が規制される。また、詰替部材１１（転写部５）と筐体２（固定部２Ｂ）の関係では、規制リブ１１Ａａと規制柱２Ｂｇとにより転写部５が固定部２Ｂの対向面２Ｂａの垂直方向以外の移動が規制される。
【００５０】
したがって、本例の転写具１は、使用時に被転写体からの反力により蓋部２Ａと固定部２Ｂとが分離しようとしても、蓋部２Ａが固定部２Ｂに対して垂直以外の方向に移動しないよう規制されていること、及び転写部５自体が垂直以外の方向に移動しないように規制されていること、により、蓋部２Ａが固定部２Ｂから浮いて厚部２Ａｂと厚部２Ｂｂとの間に隙間が生じたり（分離したり）することがない。
【００５１】
また、転写具１は、横引タイプなので、使用者が把持する位置が蓋部２Ａ及び固定部２Ｂの厚部２Ａａ、厚部２Ｂａになるが、仮に使用時に開閉部位２Ａｅの把持片２Ａｇを押し込んだとしても、使用時である限り、蓋部２Ａを固定部２Ｂの対向面２Ｂａに対して垂直方向ではない方向へ移動しようとすれば、この移動は上述のとおり防止（禁止）され、蓋部２Ａは固定部２Ｂから分離したりすることがない。
【００５２】
また、本例の転写具１において、詰替部材１１を詰め替える際には、蓋部２Ａにおける開閉部材２Ａｅの把持片２Ａｇ，２Ａｇが互いに接近させるように押しつつ、固定部２Ｂの対向面２Ｂａに対して垂直方向に引き上げる。換言すると蓋部２Ａの対向面２Ａａを固定部２Ｂの対向面２Ｂａに対して平行を保ったままでなければ開けることができない。
【００５３】
つまり、本発明の転写具１は、蓋部２Ａは固定部２Ｂに対しては、使用時であれ、詰替部材１１の詰め替え時であれ、蓋部２Ａの対向面２Ａａと固定部２Ｂの対向面２Ｂａとが平行ではない状態での移動（互いの対向面２Ａａ，２Ｂａに対して垂直方向以外の移動）は蓋部２Ａのリブ２Ａｄが柱２Ｂｄに規制され、分離できないことになる。
【００５４】
したがって、転写具１は、詰替部材１１の詰め替え時には、蓋部２Ａの対向面２Ａａを固定部２Ｂの対向面２Ｂａに対して平行を保ったまま上方に引き上げる。そして、詰替部材１１を筐体２（固定部２Ｂ）から取り出す際にも、該詰替部材１１の規制リブ１１Ａａが固定部２Ｂの規制柱２Ｂｇにより規制されているから、筐体２内部の使用済みの詰替部材１１を、蓋部２Ａと同様に固定部２Ｂの対向面２Ｂａに対して垂直方向に引き上げて取り出す。
【００５５】
その後、新たな詰替部材１１は詰替部材１１の規制リブ１１Ａａを固定部２Ｂの規制柱２Ｂｇに嵌入させて、固定部２Ｂへ挿入し、その後、蓋部２Ａのリブ２Ａｄを固定部２Ｂの柱２Ｂｄに嵌入させて、蓋部２Ａにおける開閉部材２Ａｅの係合片２Ａｆを固定部２Ｂにおける係合部に係合させて閉じる。
【００５６】
詰め替え時にはおいては、本発明の転写具１は、詰替部材１１の規制リブ１１Ａａが固定部２Ｂの規制柱２Ｂｇにより位置決めされるので、筐体２内で詰替部材１１の細かな位置調整などを行う必要がなく、容易に行うことができる。
【００５７】
また、本発明の転写具１は、開閉部材２Ａｅに、蓋部２Ａと固定部２Ｂとが分離しないようなロック機能を設ける必要がないので、構成を簡素化できると共に、これに伴ってロックを施錠又は解錠するといった作業が不要となり詰替部材１１の詰め替え作業が簡便になる。
【符号の説明】
【００５８】
１  転写具
２  筐体
２Ａ  蓋部
２Ａａ  対向面
２Ａｂ  厚部
２Ａｄ  リブ
２Ａｅ  開閉部材
２Ｂ  固定部
２Ｂａ  対向面
２Ｂｂ  厚部
２Ｂｄ  柱
２Ｂｇ  規制柱
３  送出軸部
４  巻取軸部
５  転写部
１１  詰替部材
１１Ａａ  規制リブ
【図１】
0005936899.tif 000002
【図２】
0005936899.tif 000003
【図３】
0005936899.tif 000004